(57)【特許請求の範囲】
【請求項１】
ルーフトリムに形成されたルームランプ取付穴に、ルームランプユニットを取り付けるためのルームランプ取付構造であって、
前記ルーフトリムは、
前記ルームランプ取付穴に突出する係合鍔部と、
前記ルームランプ取付穴の近傍に対向して立設された壁部と、
少なくとも一方の前記壁部の横方向に沿って配置され、導体部の一部が絶縁被覆を除去されて露出しているフラットケーブルと、
を有し、
前記ルームランプユニットは、
前記ルームランプ取付穴に挿入されたときに前記壁部と対向する外周面を有するユニット本体と、
前記外周面の下部から該外周面に垂直に突出したフランジ部と、
前記ユニット本体に固定された固定端と他端の自由端とを有し、前記自由端が前記外周面に当接し、前記固定端と自由端との中間部分が前記外周面から離間するように折れ曲がった導電性の弾性体から成る少なくとも一対のクリップと、
ランプと、
前記ランプの電極と前記クリップの前記固定端とを導通させる導体と、
を有し、
前記ルームランプ取付穴に前記ルームランプユニットを挿入したとき、前記クリップの前記中間部分が、前記壁部またはフラットケーブルに弾接するとともに、前記クリップの自由端側と前記フランジ部との間で前記ルーフトリムの前記係合鍔部を挟持することにより、前記ルームランプユニットを前記ルームランプ取付穴に保持し、且つ、前記クリップの前記中間部分が、前記フラットケーブルの導体部と接触することにより、前記ランプの電極へ電力供給を行うことを特徴とするルームランプ取付構造。
【発明の詳細な説明】
【０００１】
【発明の属する技術分野】
本発明は、車室天井に取り付けられるルーフトリムに対して、ルームランプユニットを取り付けるためのルームランプ取付構造に関する。
【０００２】
【従来の技術】
従来、車室天井にルームランプを取り付けるには、車体側ハーネスに、コネクタ接続されたルーフハーネスを、ボディ天井に取り付け、更にその下方にルーフトリムを取り付け、ボディ天井の下面を覆う。次いで、ルーフトリムに形成されたルームランプ取付穴からルーフハーネスのルームランプ用コネクタを一旦下方へ引出し、ルームランプユニットに接続する。その後、ルームランプ取付穴から引き出したルーフハーネスを、再びルームランプ取付穴を介してボディ天井の所定位置に支持してから、ルームランプユニットがルームランプ取付穴に取り付けられた。
【０００３】
ところが、このようなルームランプ取付構造では、全ての作業が車室内の狭い作業スペース内で上向き作業となり、組み付け作業性が悪かった。
【０００４】
このような従来の不具合を解消したものに、例えば特開平５−１３１８８２号公報に開示される自動車用天井の組付方法がある。ここに開示される組付方法では、ボディ天井に取り付けられる図８に示すメインモジュール３と称する成形板に、ルームランプ取付穴５が形成され、このメインモジュール３をボディ天井に取り付ける前に、ルームランプ取付穴５にルームランプ７がネジ９によって固定される。
【０００５】
固定されたルームランプ７の下面側には、更にプラスチック製のランプカバー１１が取り付けられる。メインモジュール３の上面には、フラットケーブルによって構成されるルーフハーネス１３が取り付けられている。ルームランプ取付穴５の近傍には、このルーフハーネス１３から分岐された蛇腹状となって伸縮自在に構成される接続端部１５が設けられ、この接続端部１５にはルームランプ用接続コネクタ１７が設けられている。このコネクタ１７は、ルームランプ取付穴５に挿通されて、ルームランプ７に接続される。
【０００６】
このようにして、予備組み立ての完了したメインモジュール３は、ボディ天井の下面に取り付けられた後、ルーフハーネス１３のコネクタ１９が、フロントピラに配索された図示しない車体側ハーネスのコネクタと接続される。即ち、車体側ハーネスの接続箇所をメインモジュール３のコーナー近くに移すことで、接続作業の向上を図っている。
【０００７】
この自動車用天井の組付方法によれば、メインモジュール３をボディ天井に取り付けるという簡単な作業で、ルームランプ７を同時に組み付けることができた。
【０００８】
【発明が解決しようとする課題】
しかしながら、上述した自動車用天井の組付方法における従来のルームランプ取付構造は、ルーフトリムにルームランプをネジ固定した後、ルーフトリムに配索されているルームランプ用接続端部のコネクタを、ルームランプに接続する必要がある。即ち、ルームランプをルーフトリムにネジ固定する工程と、ルーフトリムに取り付けられたルームランプに、コネクタを接続する工程の２工程が必要となる。また、ルームランプとルーフハーネスとをコネクタ接続するため、ルームランプと、ルーフハーネスとの双方にコネクタを取り付けておかなければならず、部品点数が増えて製品コストが増大した。更に、ルーフハーネスに、ルームランプ接続用の接続端部を分岐しなければならないため、ルーフハーネスが複雑となり、且つ高価となる問題があった。
本発明は上記状況に鑑みてなされたもので、ルームランプの取り付けと、ルームランプとルーフハーネスの接続とが、同時に行えるとともに、コネクタ等の部品点数を削減することができるルームランプ取付構造を提供し、作業性の向上、コストの低減、ルーフハーネスの簡略化を図ることを目的とする。
【０００９】
【課題を解決するための手段】
上記目的を達成するための本発明に係る請求項１記載のルームランプ取付構造は、ルーフトリムに形成されたルームランプ取付穴に、ルームランプユニットを取り付けるためのルームランプ取付構造であって、前記ルーフトリムは、前記ルームランプ取付穴に突出する係合鍔部と、前記ルームランプ取付穴の近傍に対向して立設された壁部と、少なくとも一方の前記壁部の横方向に沿って配置され、導体部の一部が絶縁被覆を除去されて露出しているフラットケーブルと、を有し、前記ルームランプユニットは、前記ルームランプ取付穴に挿入されたときに前記壁部と対向する外周面を有するユニット本体と、前記外周面の下部から該外周面に垂直に突出したフランジ部と、前記ユニット本体に固定された固定端と他端の自由端とを有し、前記自由端が前記外周面に当接し、前記固定端と自由端との中間部分が前記外周面から離間するように折れ曲がった導電性の弾性体から成る少なくとも一対のクリップと、ランプと、前記ランプの電極と前記クリップの前記固定端とを導通させる導体と、を有し、前記ルームランプ取付穴に前記ルームランプユニットを挿入したとき、前記クリップの前記中間部分が、前記壁部またはフラットケーブルに弾接するとともに、前記クリップの自由端側と前記フランジ部との間で前記ルーフトリムの前記係合鍔部を挟持することにより、前記ルームランプユニットを前記ルームランプ取付穴に保持し、且つ、前記クリップの前記中間部分が、前記フラットケーブルの導体部と接触することにより、前記ランプの電極へ電力供給を行うことを特徴とする。
【００１０】
このルームランプ取付構造では、ルームランプユニットがルームランプ取付穴に取り付けられると、一対のクリップと、給電手段とが導接し、ルームランプユニットの取り付けと、電気配線接続とがワンタッチで同時に完了する。即ち、一対のクリップは、ランプユニットの係止手段とランプへ電力供給するための端子とを兼ねる。従って、従来構造のように、ルームランプユニットのネジ固定と、コネクタ接続とを別々に行う必要がなくなり、ルームランプユニットの取付作業性が向上する。また、ルームランプユニットの支持部であるクリップと導体とが一体化され、コネクタが不要になる。更に、クリップが、係止手段と端子とを兼ねることによって、部品数の増加を抑えてコスト削減が図れると同時に、ルームランプユニットの小型化を可能にして設計自由度を向上できる。
【００２５】
【発明の実施の形態】
以下、本発明に係るルームランプ取付構造の好適な実施の形態を図面を参照して詳細に説明する。
図１は本発明に係るルームランプ取付構造の第１の実施の形態による分解斜視図、図２は図１のルームランプユニットに設けられるクリップの正面視を（ａ）にて、そのＡ−Ａ矢視を（ｂ）にて示した説明図、図３はルームランプ取付穴にルームランプユニットが取り付けられた状態の図１のルームランプ取付構造の断面図、図４は図３のＢ−Ｂ矢視図である。
【００２６】
ルームランプユニット３１は、ランプ３３の収容されるユニット本体３５と、このユニット本体３５の下面に固定されランプ３３を覆うカバー３７とを有している。ユニット本体３５の外周面の下部には、ユニット本体３５から突出したフランジ部３９が設けられている。なお、このフランジ部３９は、ユニット本体３５の下面に固定されるカバー３７によって形成されるものであってもよい。
【００２７】
この実施の形態によるルームランプユニット３１に取り付けられるランプ３３は、例えば管軸方向の両端に、電極である端子３３ａ、３３ｂが設けられている。
【００２８】
また、ユニット本体３５には、ランプ３３への供給電源回路を開閉するスイッチボックス４１が付設されている。スイッチボックス４１は、図示しない操作スイッチが、カバー３７を貫通して車室側に露出されている。
【００２９】
ユニット本体３５の平行な一対の側部には、導電性を有し、且つ弾性変形可能な一対のクリップ４３がそれぞれ設けられている。これらのクリップ４３は、後述するルームランプ取付穴５３の周縁に係止して、ルームランプユニット３１をルームランプ取付穴５３に固定できるもので、例えば弾性帯板をＣ字形状に折曲して形成され、折曲方向の一端（図３の上端）がユニット本体３５に連設され、折曲方向の他端（図３の下端）が自由端となっている。このクリップ４３の下端と、フランジ部３９との間には間隙４５が形成されている。
【００３０】
従って、クリップ４３は、ユニット本体３５側へ押しつけられる方向と、フランジ部３９の間隙４５が拡がる方向（図３の上方向）の両方に、弾性変形可能となっている。
【００３１】
ユニット本体３５に取り付けられたランプ３３の一方の端子３３ａには、銅板等からなる導体４７ａが接触されている。この導体４７ａは、ユニット本体３５に貼着された状態で一方のクリップ４３ａの表面に延設されている。また、ランプ３３の他方の端子３３ｂには、同じく銅板等からなる導体４７ｂが接触されている。この導体４７ｂは、ユニット本体３５に貼着された状態でスイッチボックス４１の図示しない一方の接点に接続されている。スイッチボックス４１の他方の接点には、同じく銅板等からなる導体４７ｃが接触され、この導体４７ｃはユニット本体３５に貼着された状態で他方のクリップ４３ｂの表面に延設されている。
【００３２】
つまり、ランプ３３の一対の端子３３ａ、３３ｂは、一対のクリップ４３ａ、４３ｂの表面に導出されている。なお、図２中、６６は電気接触性を良好なものとするためのインデントを示す。
【００３３】
一方、ルーフトリム５１には、ルームランプユニット３１が挿入されるルームランプ取付穴５３が形成されている。ルームランプ取付穴５３の近傍には、ルームランプユニット３１の挿入方向と平行な方向に立設された壁部５５が、ユニット本体３５の一方の側面に沿うようにして連続して設けられている。
【００３４】
この壁部５５のルームランプ取付穴５３側の側面には、一対の弾性保持片５７が対向して配置されている。弾性保持片５７は、例えば下端がルーフトリム５１に固定され、上端が自由端となって壁部５５の側面に接している。
【００３５】
この弾性保持片５７と壁部５５との間には、ランプ３３への給電手段となる電源供給回路を有したフラットケーブル５９が挟持されている。つまり、フラットケーブル５９は、ルームランプ取付穴５３へのルームランプユニット挿入方向（矢印ａ方向）と平行に配置されている。また、フラットケーブル５９は、導体部が、ルームランプ取付穴５３へのルームランプユニット挿入方向と直交方向（矢印ｂ方向）に配線されている。
【００３６】
このフラットケーブル５９は、一対のクリップ４３ａ、４３ｂに対応する位置で、ランプ３３の一対の端子３３ａ、３３ｂへ電力を供給する一対の導体部６１ａ、６１ｂの絶縁被覆６３が除去されて、導体部６１ａ、６１ｂが露出されている。即ち、一対のクリップ４３ａ、４３ｂは、ルームランプユニット３１がルームランプ取付穴５３へ挿入されることで、既述したルームランプユニット３１の固定を行うと同時に、フラットケーブル５９の一対の導体部６１ａ、６１ｂにそれぞれ弾接してランプ３３の一対の端子３３ａ、３３ｂへ電力供給を行う端子を兼ねている。従って、クリップは、図２の（ａ）に示すように、正面視において矩形状に形成された板面に、挿入方向に長いインデント６６を形成すると共に、（ｂ）に示すように、断面をＣ字形状に折曲形成されている。
【００３７】
この実施の形態におけるルームランプユニット３１は、四角形状で形成される。従って、ルームランプ取付穴５３も同じ四角形状で形成されている。このルームランプ取付穴５３の平行な一対の辺部には、ルームランプ取付穴５３の内方へ突出する係合鍔部６５がそれぞれ突設されている。
【００３８】
次に、このように構成されたルームランプ取付構造の作用を説明する。
ルームランプユニット３１は、ルーフトリム５１のルームランプ取付穴５３に挿入されると、それぞれのクリップ４３が、係合鍔部６５に当接され、ユニット本体３５へ押し付けられる方向に弾性変形される。
【００３９】
更に、ルームランプユニット３１が、ルームランプ取付穴５３に押し込まれることで、クリップ４３が、係合鍔部６５を乗り越えることになる。クリップ４３が係合鍔部６５を乗り越えると同時に、ルームランプユニット３１は、図３に示すように、フランジ部３９が、ルームランプ取付穴５３の周縁に当接し、それ以上の挿入が規制される。
【００４０】
この状態において、各クリップ４３は、フランジ部３９とによって、係合鍔部６５を挟持する。これにより、ルームランプユニット３１は、挿入方向の移動が規制され、ガタツキが生じなくなる。また、それぞれのクリップ４３は、ルームランプ取付穴５３の内壁面によって、ユニット本体３５側へ押圧されているため、弾性復元力により、ルームランプ取付穴５３の内壁面に反力を付与している。これにより、ルームランプユニット３１は、水平方向（ルーフトリム５１の面に平行な方向）の移動が規制され、ガタツキが生じなくなっている。
【００４１】
このような取り付け状態において、ユニット本体３５の一方の側壁に設けられた一対のクリップ４３ａ、４３ｂは、図４に示すように、垂直に保持されたフラットケーブル５９の露出された導体部６１ａ、６１ｂに弾性接触することになる。即ち、ルームランプユニット３１は、ルームランプ取付穴５３に取り付けられると同時に、フラットケーブル５９との電気的な接続が完了することになる。
【００４２】
このように、上述のルームランプ取付構造によれば、ルームランプユニット３１がルームランプ取付穴５３に取り付けられると、一対のクリップ４３ａ、４３ｂと、フラットケーブル５９の導体部６１ａ、６１ｂとが弾性接触し、ルームランプユニット３１の取付けと、電気配線接続とがワンタッチで同時に完了する。
【００４３】
従って、従来構造のように、ルームランプユニットのネジ固定と、コネクタ接続とを別々に行う必要がなくなり、ルームランプユニット３１の取付作業性が向上する。また、支持部であるクリップ４３と導体４７とが一体化され、コネクタが不要になる。更に、クリップが、係止手段と端子とを兼ねることによって、部品数の増加を抑えてコスト低減が図れると同時に、ルームランプユニットの小型化を可能にして設計自由度を向上できる。
【００４４】
また、フラットケーブル５９が直接、ルームランプユニット３１に接続されるので、コネクタの設けられた専用のルームランプ接続用ハーネスを分岐する必要がなくなり、ルーフハーネスが簡略化される。
【００４５】
また、フラットケーブル５９を、ルームランプユニット３１の挿入方向と平行な方向（矢印ａ方向）に配置したので、挿入方向に長く形成したクリップ４３ａ、４３ｂのインデント６７（図３参照）を、挿入に伴って導体部６１ａ、６１ｂに摺接させることができ、ルームランプユニット３１の挿入位置のバラツキに影響されることなく、常にクリップ４３ａ、４３ｂが導体部６１ａ、６１ｂに接触可能になる。これに対し、例えばフラットケーブル５９が、ルームランプユニット挿入方向と垂直な面方向（矢印ｃ方向）に配置されていると、所定の挿入位置（挿入深さ）のみでしかクリップ４３ａ、４３ｂが導体部６１ａ、６１ｂと接触されなくなり、ルームランプユニット３１の挿入位置のバラツキに影響され易い、不安定な接触構造となる。
【００４６】
更に、フラットケーブル５９の導体部６１ａ、６１ｂを、ルームランプユニット挿入方向と直交方向（矢印ｂ方向）に配線したので、ルームランプユニット３１の取付位置が、フラットケーブル５９に沿う方向（矢印ｂ方向）に位置ずれしても、導体部６１ａ、６１ｂが同方向に配線されているので、ルームランプユニット３１の挿入位置のバラツキに影響されることなく、常にクリップ４３ａ、４３ｂが導体部６１ａ、６１ｂに接触可能になる。これに対し、フラットケーブル５９の導体部６１ａ、６１ｂが、ルームランプユニット挿入方向と同方向（矢印ａ方向）に配線されていると、ルームランプユニット３１の取付位置が、フラットケーブル５９に沿う方向（矢印ｂ方向）に位置ずれした場合、容易にクリップ４３ａ、４３ｂが導体部６１ａ、６１ｂから外れ、ルームランプユニット３１の挿入位置のバラツキに影響され易い、不安定な接触構造となる。
【００４７】
そして、この実施の形態によるルームランプ取付構造によれば、壁部５５と弾性保持片５７との間に、フラットケーブル５９を挟持したので、フラットケーブル５９を容易にルームランプユニット挿入方向と平行に配置でき、且つフラットケーブル５９の導体部６１ａ、６１ｂをルームランプユニット挿入方向と直交方向に配線することができる。
【００４８】
次に、本発明に係るルームランプ取付構造の第２の実施の形態を説明する。
図５は本発明に係るルームランプ取付構造の第２の実施の形態による分解斜視図、図６はルームランプ取付穴にルームランプユニットが取り付けられた状態の図５のルームランプ取付構造の断面図、図７は電気接触部と壁部との異なる係止構造例を（ａ）と（ｂ）で示した説明図である。なお、この実施の形態では、先の第１の実施の形態と給電手段が相違しており、他の部位、部分については同一であるので、同一部位、部分には同一符号を付して説明は省略する。
【００４９】
ルーフトリム５１には、ルームランプユニット３１が挿入されるルームランプ取付穴５３が形成されている。ルームランプ取付穴５３の近傍には、ルームランプユニット３１の挿入方向と平行な方向に立設された壁部５５が、ユニット本体３５の一方の側面に沿うようにして連続して設けられている。
【００５０】
壁部５５には、クリップ４３ａ、４３ｂに対応する位置で図示しないルーフハーネスからの電線６９に接続された一対の電気接触部７１ａ、７１ｂが設けられている。電気接触部７１ａ、７１ｂは、例えば弾性を有する導電性金属からなり、一対の挟持片７３を対向させてＵ字状に折曲して形成されている。これにより、電気接触部７１ａ、７１ｂは、挟持片７３の間に壁部５５を挟持してルームランプ取付穴５３の近傍に配設されている。つまり、本実施の形態では、電線６９及び電気接触部７１ａ、７１ｂによって給電手段が構成されている。
【００５１】
電気接触部７１ａ、７１ｂは、Ｕ字形状の開口部が、壁部５５の上端から挿入されて、壁部５５に取り付けられる。壁部５５に取り付けられた電気接触部７１ａ、７１ｂは、ルームランプ取付穴５３の下方から挿入されるルームランプユニット３１のクリップ４３ａ、４３ｂに摺接される。従って、電気接触部７１ａ、７１ｂは、クリップ４３ａ、４３ｂとの摺接の際の摩擦に対し、壁部５５の上部から脱落しないように取り付けられていることが好ましい。
【００５２】
このため、本実施の形態によるルームランプ取付構造においては、電気接触部７１ａ、７１ｂと壁部５５とに、電気接触部７１ａ、７１ｂの脱落を阻止する係止手段が設けられている。係止手段は、例えば図７（ａ）に示すように、電気接触部７１ａ、７１ｂの開口部となる挟持片７３の先端に設けられた係止爪７４と、壁部５５に設けられこの係止爪７４に係止する突起７５とにより構成することができる。また、係止手段は、図７（ｂ）に示すように、係止爪７４と、壁部５５に設けられこの係止爪７４に係止する溝部７７とにより構成されるものであってもよい。
【００５３】
このような係止手段が設けられることにより、電気接触部７１ａ、７１ｂの係止爪７４が、壁部５５に設けられた突起７５又は溝部７７に係止して、クリップ４３ａ、４３ｂが摺接することによる壁部５５からの電気接触部７１ａ、７１ｂの脱落を確実に阻止することができるようになっている。
【００５４】
次に、このように構成されたルームランプ取付構造の作用を説明する。
ルームランプユニット３１は、ルーフトリム５１のルームランプ取付穴５３に挿入されると、それぞれのクリップ４３が、係合鍔部５７に当接され、ユニット本体３５へ押し付けられる方向に弾性変形される。
【００５５】
更に、ルームランプユニット３１が、ルームランプ取付穴５３に押し込まれることで、クリップ４３が、係合鍔部５７を乗り越えることになる。クリップ４３が係合鍔部５７を乗り越えると同時に、ルームランプユニット３１は、図６に示すように、フランジ部３９が、ルームランプ取付穴５３の周縁に当接し、それ以上の挿入が規制される。
【００５６】
この状態において、各クリップ４３は、フランジ部３９とによって、係合鍔部５７を挟持する。これにより、ルームランプユニット３１は、挿入方向の移動が規制され、ガタツキが生じなくなる。また、それぞれのクリップ４３は、ルームランプ取付穴５３の内壁面によって、ユニット本体３５側へ押圧されているため、弾性復元力により、ルームランプ取付穴５３の内壁面に反力を付与している。これにより、ルームランプユニット３１は、水平方向（ルーフトリム５１の面に平行な方向）の移動が規制され、ガタツキが生じなくなっている。
【００５７】
このような取り付け状態において、ユニット本体３５の一方の側壁に設けられた一対のクリップ４３ａ、４３ｂは、図６に示すように、壁部５５に挟着された電気接触部７１ａ、７１ｂに接触することになる。即ち、ルームランプユニット３１は、ルームランプ取付穴５３に取り付けられると同時に、電気接触部７１ａ、７１ｂとの電気的な接続が完了することになる。
【００５８】
このように、上述のルームランプ取付構造によれば、ルームランプユニット３１がルームランプ取付穴５３に取り付けられると、一対のクリップ４３ａ、４３ｂと、電気接触部７１ａ、７１ｂとが接触し、ルームランプユニット３１の取付けと、電気配線接続とがワンタッチで同時に完了する。
【００５９】
従って、従来構造のように、ルームランプユニットのネジ固定と、コネクタ接続とを別々に行う必要がなくなり、ルームランプユニット３１の取付作業性が向上する。また、クリップ４３ａ、４３ｂに、電線接続した電気接触部７１ａ、７１ｂが接触されるので、コネクタが不要になる。
【００６０】
また、電気接触部７１ａ、７１ｂをＵ字状に形成し、壁部５５の上方から嵌入して、対向する挟持片７３によって壁部５５を表裏から挟持するようにしたので、電気接触部７１ａ、７１ｂを簡素な組み付け構造で、ルームランプ取付穴５３の近傍に容易に配設することができる。
【００６１】
更に、電気接触部７１ａ、７１ｂの先端に係止爪７４を設け、壁部５５にはこの係止爪７４に係止する突起６５又は溝部６７を設けたので、電気接触部７１ａ、７１ｂのルームランプユニット挿入方向の可動を阻止することができる。これにより、ルームランプユニット３１の挿入時に、クリップ４３ａ、４３ｂとの摩擦によって、電気接触部７１ａ、７１ｂが同方向に移動し、接触不良となることを防止でき、常に確実な接触状態を得ることができる。
【００６２】
【発明の効果】
以上詳細に説明したように、本発明に係るルームランプ取付構造は、ルームランプ取付穴の周縁に係止する一対のクリップをルームランプユニットに設け、このクリップとランプの電極とを導体によって導通させ、ルーフトリムのルームランプ取付穴の近傍には、給電手段として、導体部を露出させたフラットケーブルを設けたので、ルームランプユニットをルームランプ取付穴に取り付けることで、一対のクリップと、フラットケーブルの導体部あるいは電気接触部とを弾性接触させて、ルームランプユニットの取付けと、電気配線接続とをワンタッチで同時に行うことができる。この結果、ルームランプユニットの取付作業性を向上させることができる。また、ルームランプユニットの支持部であるクリップと導体とを一体化でき、コネクタ接続でなくなることから部品点数を少なくしてコストを低減することができる。更に、クリップが、係止手段と端子とを兼ねることによって、部品数の増加を抑えてコスト低減が図れると同時に、ルームランプユニットの小型化を可能にして設計自由度の向上が図れる。
【図面の簡単な説明】
【図１】本発明に係るルームランプ取付構造の第１の実施の形態による分解斜視図である。
【図２】図１のルームランプユニットに設けられるクリップの正面視を（ａ）、そのＡ−Ａ矢視を（ｂ）で示した説明図である。
【図３】ルームランプ取付穴にルームランプユニットが取り付けられた状態の図１のルームランプ取付構造の断面図である。
【図４】図３のＢ−Ｂ矢視図である。
【図５】本発明に係るルームランプ取付構造の第２の実施の形態による分解斜視図である。
【図６】ルームランプ取付穴にルームランプユニットが取り付けられた状態の図５のルームランプ取付構造の断面図である。
【図７】電気接触部と壁部との異なる係止構造例を（ａ）と（ｂ）で示した説明図である。
【図８】従来のルームランプ取付構造を示すメインモジュールの斜視図である。
【符号の説明】
３１  ルームランプユニット
３３  ランプ
３３ａ、３３ｂ  端子（電極）
４３（４３ａ、４３ｂ）  クリップ
４７ａ、４７ｂ、４７ｃ  導体
５１  ルーフトリム
５３  ルームランプ取付穴
５９  フラットケーブル
６１ａ、６１ｂ  導体部
６３  絶縁被覆
６９  電線
７１ａ、７１ｂ  電気接触部
７３  挟持片
７４  係止爪
７５  突起
７７  溝部
【図１】
0003877499.tif 000002
【図２】
0003877499.tif 000003
【図３】
0003877499.tif 000004
【図４】
0003877499.tif 000005
【図５】
0003877499.tif 000006
【図６】
0003877499.tif 000007
【図７】
0003877499.tif 000008
【図８】
0003877499.tif 000009